(57)【要約】【課題】端末装置を利用して表示装置の設定を行う場合の操作の負担を軽減する。【解決手段】表示パネル５２と、タッチセンサー５３と、プロジェクター１００の種類に対応して、プロジェクター１００の設定を行うユーザーインターフェイスを表示パネル５２に表示させる表示制御部２１と、ユーザーインターフェイスに対応する入力に基づいて、ＵＩ設定データ３３を編集する設定情報処理部２３と、編集されたＵＩ設定データ３３を、プロジェクター１００により読取り可能に記憶するＮＦＣタグ６２と、を備える端末装置１０。【選択図】図５
2019158986.tif 000002
【特許請求の範囲】
【請求項１】
表示部と、
入力を受け付ける入力部と、
表示装置と通信する通信部と、
前記通信部により通信する前記表示装置の種類を特定し、特定した前記表示装置の種類に対応して、前記表示装置の設定を行うユーザーインターフェイスを前記表示部に表示させ、前記ユーザーインターフェイスに対応する入力を前記入力部により受け付けた場合に、受け付けた入力に基づいて、前記表示装置の設定に関する設定情報を編集する設定情報処理部と、
前記設定情報処理部により編集された前記設定情報を、前記表示装置により読取り可能に記憶する記憶部と、
を備える電子機器。
【請求項２】
前記設定情報処理部は、前記表示装置の種類を指定して前記設定情報を要求する要求データを前記通信部により受信したことを条件として、前記要求データにより指定された前記表示装置の種類に対応する前記ユーザーインターフェイスを、前記表示部に表示させる、請求項１記載の電子機器。
【請求項３】
前記設定情報は、前記表示装置の種類を示す種類情報と、前記表示装置の設定に関する情報とを対応付けて含む、請求項１または２記載の電子機器。
【請求項４】
前記設定情報は、前記表示装置の動作に係る設定のために前記表示装置により表示される前記ユーザーインターフェイスについて、表示される設定対象項目を指定する情報、および、各々の前記設定対象項目の配置を指定する情報を含む、請求項１から３のいずれか１項に記載の電子機器。
【請求項５】
表示部を備える表示装置であって、
入力を受け付ける入力部と、
設定対象項目が配置されたユーザーインターフェイスを前記表示部に表示させ、前記入力部により受け付けた入力に基づき前記設定対象項目に対する設定値を決定し、決定した設定値に従って前記表示装置の機能を設定する設定制御部と、
外部の記録媒体から、前記ユーザーインターフェイスの構成を規定する設定情報を取得する取得部と、を備え、
前記設定制御部は、前記取得部により取得された前記設定情報に従って前記ユーザーインターフェイスを構成し、前記表示部により表示させる、表示装置。
【請求項６】
前記取得部は、前記表示装置の種類に対応する前記設定情報が前記外部の記録媒体に記録されていない場合に、前記外部の記録媒体に対応する電子機器に対して、前記表示装置の種類を指定して前記設定情報を要求する要求データを送信する、請求項５記載の表示装置。
【請求項７】
表示装置と、前記表示装置とは別体として構成される電子機器と、を有する表示システムであって、
前記電子機器は、
第１表示部と、
入力を受け付ける第１入力部と、
前記表示装置と通信する通信部と、
前記通信部により通信する前記表示装置の種類を特定し、特定した前記表示装置の種類に対応して、前記表示装置の設定を行うユーザーインターフェイスを前記第１表示部に表示させ、前記ユーザーインターフェイスに対応する入力を前記第１入力部により受け付けた場合に、受け付けた入力に基づいて、前記表示装置の設定に関する設定情報を編集する設定情報処理部と、
前記設定情報処理部により編集された前記設定情報を、前記表示装置により読取り可能に記憶する記憶部と、を備え、
前記表示装置は、
第２表示部と、
入力を受け付ける第２入力部と、
設定対象項目が配置されたユーザーインターフェイスを前記第２表示部に表示させ、前記第２入力部により受け付けた入力に基づき前記設定対象項目に対する設定値を決定し、決定した設定値に従って前記表示装置の機能を設定する設定制御部と、
前記電子機器が有する前記記憶部から前記設定情報を読み取る取得部と、を備え、
前記設定制御部は、前記取得部により取得された前記設定情報に従って前記ユーザーインターフェイスを構成し、前記第２表示部により表示させる、表示システム。
【請求項８】
前記電子機器は、
前記表示装置の種類を示す種類情報と、前記表示装置の設定に関する情報とを対応付けて含む前記設定情報を前記記憶部に記憶し、
前記表示装置は、
前記取得部により、前記表示装置の種類に対応する前記設定情報が前記記憶部に記憶されていない場合に、前記電子機器に対して前記表示装置の種類を指定して前記設定情報を要求する要求データを送信し、
前記電子機器は、
前記通信部により、前記表示装置が送信した前記要求データを受信した場合に、前記要求データにより指定された前記表示装置の種類に対応する前記ユーザーインターフェイスを前記第１表示部に表示する、請求項７記載の表示システム。
【請求項９】
表示部と、入力を受け付ける入力部と、表示装置と通信する通信部と、を有するコンピューターにより実行可能なプログラムであって、
前記コンピューターを、
前記通信部により通信する前記表示装置の種類を特定し、特定した前記表示装置の種類に対応して、前記表示装置の設定を行うユーザーインターフェイスを前記表示部に表示させ、前記ユーザーインターフェイスに対応する入力を前記入力部により受け付けた場合に、受け付けた入力に基づいて、前記表示装置の設定に関する設定情報を編集し、編集した前記設定情報を、前記表示装置により読取り可能に記憶部に記憶させる設定情報処理部と、
して動作させるプログラム。
【請求項１０】
電子機器の制御方法であって、
表示装置と通信部により通信し、
通信する前記表示装置の種類を特定し、
特定した前記表示装置の種類に対応して、前記表示装置の設定を行うユーザーインターフェイスを表示部に表示し、
前記ユーザーインターフェイスに対応する入力を入力部により受け付け、
受け付けた入力に基づいて、前記表示装置の設定に関する設定情報を編集し、
編集した前記設定情報を、前記表示装置により読取り可能に記憶部に記憶する、電子機器の制御方法。
【請求項１１】
表示装置の制御方法であって、
設定対象項目が配置されたユーザーインターフェイスを表示部により表示し、
入力部により入力を受け付け、
受け付けた入力に基づき前記設定対象項目に対する設定値を決定し、決定した設定値に従って前記表示装置の機能を設定し、
外部の記録媒体から、前記ユーザーインターフェイスの構成を規定する設定情報を取得し、
取得した前記設定情報に従って前記ユーザーインターフェイスを構成し、前記表示部により表示する、表示装置の制御方法。
【発明の詳細な説明】
【技術分野】
【０００１】
本発明は、電子機器、表示装置、表示システム、電子機器の制御方法、表示装置の制御方法、及び、プログラムに関する。
【背景技術】
【０００２】
従来、表示装置と端末装置とを接続し、端末装置における設定情報に応じて表示装置の設定を行うシステムが開示されている（例えば、特許文献１参照）。特許文献１のシステムは、端末装置の識別情報に対応する設定情報を表示装置に設定することで、異なる端末装置による設定を可能としている。
【先行技術文献】
【特許文献】
【０００３】
【特許文献１】特開２０１４−１７００３２号公報
【発明の概要】
【発明が解決しようとする課題】
【０００４】
表示装置の機能や動作は機種により異なる。このため、上記従来の技術を複数の機種の表示装置に適用する場合、端末装置が、表示装置の機種毎に異なる設定情報を表示装置に提供することが考えられる。この場合、端末装置の操作によって、表示装置の機種に対応する設定情報を選択したり、設定情報を管理したりする必要があり、端末装置の操作が煩雑になると考えられる。
本発明は、上述した事情に鑑みてなされたものであり、端末装置を利用して表示装置の設定を行う場合に、端末装置の操作に関する負担を軽減することを目的とする。
【課題を解決するための手段】
【０００５】
上記目的を達成するために、本発明の電子機器は、表示部と、入力を受け付ける入力部と、表示装置と通信する通信部と、前記通信部により通信する前記表示装置の種類を特定し、特定した前記表示装置の種類に対応して、前記表示装置の設定を行うユーザーインターフェイスを前記表示部に表示させ、前記ユーザーインターフェイスに対応する入力を前記入力部により受け付けた場合に、受け付けた入力に基づいて、前記表示装置の設定に関する設定情報を編集する設定情報処理部と、前記設定情報処理部により編集された前記設定情報を、前記表示装置により読取り可能に記憶する記憶部と、を備える。
本発明によれば、電子機器が表示装置の種類に対応してユーザーインターフェイスを表示し、このユーザーインターフェイスを利用して、表示装置の設定に関する設定情報を編集できる。これにより、表示装置の機種に対応して設定情報を編集する操作を簡易化し、ユーザーの負担を軽減できる。
【０００６】
また、本発明は、前記設定情報処理部は、前記表示装置の種類を指定して前記設定情報を要求する要求データを前記通信部により受信したことを条件として、前記要求データにより指定された前記表示装置の種類に対応する前記ユーザーインターフェイスを、前記表示部に表示させる構成であってもよい。
この構成によれば、電子機器が要求データを受信することによりユーザーインターフェイスが表示されるので、表示装置の種類に対応するユーザーインターフェイスを表示させるための操作を簡易化できる。
【０００７】
また、本発明は、前前記設定情報は、前記表示装置の種類を示す種類情報と、前記表示装置の設定に関する情報とを対応付けて含む構成であってもよい。
この構成によれば、設定情報において、表示装置の種類と表示装置の設定とが対応付けられるため、設定情報の管理に要する負担を軽減できる。
【０００８】
また、本発明は、前記設定情報は、前記表示装置の動作に係る設定のために前記表示装置により表示される前記ユーザーインターフェイスについて、表示される設定対象項目を指定する情報、および、各々の前記設定対象項目の配置を指定する情報を含む構成であってもよい。
この構成によれば、表示装置のユーザーインターフェイスに表示される設定対象項目および配置を、表示装置と通信する電子機器を利用して、簡単な操作で設定できる。
【０００９】
また、上記目的を達成するために、本発明は、表示部を備える表示装置であって、入力を受け付ける入力部と、設定対象項目が配置されたユーザーインターフェイスを前記表示部に表示させ、前記入力部により受け付けた入力に基づき前記設定対象項目に対する設定値を決定し、決定した設定値に従って前記表示装置の機能を設定する設定制御部と、外部の記録媒体から、前記ユーザーインターフェイスの構成を規定する設定情報を取得する取得部と、を備え、前記設定制御部は、前記取得部により取得された前記設定情報に従って前記ユーザーインターフェイスを構成し、前記表示部により表示させる。
本発明によれば、表示装置のユーザーインターフェイスを、外部の記録媒体から取得される設定情報に従って構成できる。このため、設定情報を記録媒体に記録して提供する電子機器を利用して、表示装置のユーザーインターフェイスに関する設定を、容易に行うことができる。
【００１０】
また、本発明は、前記取得部は、前記表示装置の種類に対応する前記設定情報が前記外部の記録媒体に記録されていない場合に、前記外部の記録媒体に対応する電子機器に対して、前記表示装置の種類を指定して前記設定情報を要求する要求データを送信する構成であってもよい。
この構成によれば、表示装置が、表示装置の種類に対応する設定情報を電子機器に対し要求できる。このため、表示装置の種類と設定情報との対応を表示装置が管理する必要がなく、管理に関する負担を軽減できる。
【００１１】
また、上記目的を達成するために、本発明は、表示装置と、前記表示装置とは別体として構成される電子機器と、を有する表示システムであって、前記電子機器は、第１表示部と、入力を受け付ける第１入力部と、前記表示装置と通信する通信部と、前記通信部により通信する前記表示装置の種類を特定し、特定した前記表示装置の種類に対応して、前記表示装置の設定を行うユーザーインターフェイスを前記第１表示部に表示させ、前記ユーザーインターフェイスに対応する入力を前記第１入力部により受け付けた場合に、受け付けた入力に基づいて、前記表示装置の設定に関する設定情報を編集する設定情報処理部と、前記設定情報処理部により編集された前記設定情報を、前記表示装置により読取り可能に記憶する記憶部と、を備え、前記表示装置は、第２表示部と、入力を受け付ける第２入力部と、設定対象項目が配置されたユーザーインターフェイスを前記第２表示部に表示させ、前記第２入力部により受け付けた入力に基づき前記設定対象項目に対する設定値を決定し、決定した設定値に従って前記表示装置の機能を設定する設定制御部と、前記電子機器が有する前記記憶部から前記設定情報を読み取る取得部と、を備え、前記設定制御部は、前記取得部により取得された前記設定情報に従って前記ユーザーインターフェイスを構成し、前記第２表示部により表示させる。
本発明によれば、表示装置のユーザーインターフェイスを、電子機器が記憶部に記憶する設定情報に従って構成できるので、電子機器を利用して、表示装置のユーザーインターフェイスに関する設定を、容易に行うことができる。さらに、電子機器は、表示装置の種類に対応してユーザーインターフェイスを表示し、このユーザーインターフェイスを利用して、表示装置の設定に関する設定情報を編集できる。このため、表示装置の機種に対応して設定情報を編集する操作を簡易化し、ユーザーの負担を軽減できる。
【００１２】
また、本発明は、前記電子機器は、前記表示装置の種類を示す種類情報と、前記表示装置の設定に関する情報とを対応付けて含む前記設定情報を前記記憶部に記憶し、前記表示装置は、前記取得部により、前記表示装置の種類に対応する前記設定情報が前記記憶部に記憶されていない場合に、前記電子機器に対して前記表示装置の種類を指定して前記設定情報を要求する要求データを送信し、前記電子機器は、前記通信部により、前記表示装置が送信した前記要求データを受信した場合に、前記要求データにより指定された前記表示装置の種類に対応する前記ユーザーインターフェイスを前記第１表示部に表示する構成であってもよい。
この構成によれば、表示装置が、表示装置の種類に対応する設定情報を電子機器に対し要求できるので、表示装置の種類と設定情報との対応を管理する負担を軽減できる。
【００１３】
また、上記目的を達成するために、本発明は、表示部と、入力を受け付ける入力部と、表示装置と通信する通信部と、を有するコンピューターにより実行可能なプログラムであって、前記コンピューターを、前記通信部により通信する前記表示装置の種類を特定し、特定した前記表示装置の種類に対応して、前記表示装置の設定を行うユーザーインターフェイスを前記表示部に表示させ、前記ユーザーインターフェイスに対応する入力を前記入力部により受け付けた場合に、受け付けた入力に基づいて、前記表示装置の設定に関する設定情報を編集し、編集した前記設定情報を、前記表示装置により読取り可能に記憶部に記憶させる設定情報処理部と、して動作させる。
本発明のプログラムを実行するコンピューターは、表示装置の種類に対応してユーザーインターフェイスを表示し、ユーザーは、表示されるユーザーインターフェイスを利用して、表示装置の設定に関する設定情報を編集できる。これにより、表示装置の機種に対応して設定情報を編集する操作を簡易化し、ユーザーの負担を軽減できる。
【００１４】
また、上記目的を達成するために、本発明は、電子機器の制御方法であって、表示装置と通信部により通信し、通信する前記表示装置の種類を特定し、特定した前記表示装置の種類に対応して、前記表示装置の設定を行うユーザーインターフェイスを表示部に表示し、前記ユーザーインターフェイスに対応する入力を入力部により受け付け、受け付けた入力に基づいて、前記表示装置の設定に関する設定情報を編集し、編集した前記設定情報を、前記表示装置により読取り可能に記憶部に記憶する。
本発明によれば、電子機器が表示装置の種類に対応してユーザーインターフェイスを表示し、このユーザーインターフェイスを利用して、表示装置の設定に関する設定情報を編集できる。これにより、表示装置の機種に対応して設定情報を編集する操作を簡易化し、ユーザーの負担を軽減できる。
【００１５】
また、上記目的を達成するために、本発明は、表示装置の制御方法であって、設定対象項目が配置されたユーザーインターフェイスを表示部により表示し、入力部により入力を受け付け、受け付けた入力に基づき前記設定対象項目に対する設定値を決定し、決定した設定値に従って前記表示装置の機能を設定し、外部の記録媒体から、前記ユーザーインターフェイスの構成を規定する設定情報を取得し、取得した前記設定情報に従って前記ユーザーインターフェイスを構成し、前記表示部により表示する。
本発明によれば、表示装置のユーザーインターフェイスを、外部の記録媒体から取得される設定情報に従って構成できる。このため、設定情報を記録媒体に記録して提供する電子機器を利用して、表示装置のユーザーインターフェイスに関する設定を、容易に行うことができる。
【００１６】
本発明は、上述した表示システム、電子機器、表示装置、表示システム、電子機器の制御方法、表示装置の制御方法、及び、プログラム以外の種々の形態で実現することが可能である。例えば、上記プログラムを記録した記録媒体、プログラムを配信するサーバー装置、上記プログラムを伝送する伝送媒体、上記プログラムを搬送波内に具現化したデータ信号等の形態で実現できる。
【図面の簡単な説明】
【００１７】
【図１】実施形態の表示システムの概略構成を示す図。
【図２】プロジェクターのブロック図。
【図３】プロジェクターのユーザーインターフェイスの構成例を示す図。
【図４】プロジェクターのＵＩデータの構成例を示す図。
【図５】端末装置のブロック図。
【図６】端末装置のＵＩ設定データの構成例を示す図。
【図７】端末装置のユーザーインターフェイスの構成例を示す図。
【図８】プロジェクターの動作を示すフローチャート。
【図９】端末装置の動作を示すフローチャート。
【発明を実施するための形態】
【００１８】
［１．表示システムの構成］
以下、図面を参照して本発明を適用した実施形態の表示システム１について説明する。
図１は、表示システム１の概略構成を示す図である。表示システム１は、電子機器と、表示装置としてのプロジェクター１００とを備える。本実施形態では、電子機器として、携帯型の端末装置１０を例示する。端末装置１０は、プロジェクター１００に対し、プロジェクター１００とは別体として構成される外部の装置であり、プロジェクター１００は端末装置１０にとって外部の表示装置である。図１は表示システム１の一構成例であり、表示システム１が備えるプロジェクター１００及び端末装置１０の数、及び、プロジェクター１００が通信する端末装置１０の数に制限はない。
【００１９】
表示システム１が備える電子機器は、スマートフォン、携帯型電話機、タブレット型コンピューター、ノート型コンピューター等の可搬型のコンピューターである。端末装置１０は、平板状の端末装置本体１１と、端末装置本体１１の表面に配置された表示部５１とを有するタブレット型コンピューターである。表示部５１にはユーザーの接触操作を検出するタッチセンサー５３（図５）が設けられる。
【００２０】
プロジェクター１００は、スクリーンＳＣに画像光を投射して、スクリーンＳＣ上に投射画像Ｐを形成する。スクリーンＳＣは、壁面等の固定された平面、壁面に取り付けられた黒板等の平面、または、吊り下げ式や立ち上げ式の幕状のスクリーンを用いてもよい。
【００２１】
プロジェクター本体１０１の上面には、操作パネル１７２が配置される。操作パネル１７２は、ユーザーがプロジェクター１００を操作するためのスイッチを備える。例えば、操作パネル１７２は、電源スイッチ及び設定メニュースイッチを備える。操作パネル１７２は、プロジェクター１００の動作状態を示すインジケーターランプを備える。
【００２２】
プロジェクター１００は、赤外線信号を送信するリモコン７０により、操作できる。リモコン７０は、プロジェクター１００を操作する各種スイッチを備え、スイッチの操作に対応する信号を、プロジェクター１００に赤外線信号として送信する。リモコン７０は、例えば、電源スイッチ、及び、設定メニュースイッチを備える。
【００２３】
プロジェクター１００は、ＮＦＣ（Ｎｅａｒ  Ｆｉｅｌｄ  Ｃｏｍｍｕｎｉｃａｔｉｏｎ）モジュール１６０を備える。ＮＦＣモジュール１６０は、図２を参照して後述するように、ＮＦＣタグの読み取り及び書き込みを行うＮＦＣリーダー１６１、及び、ＮＦＣタグ１６２を備える。プロジェクター１００は、ＮＦＣモジュール１６０により、外部のＮＦＣタグに対し、データの読み取り及び書き込みができる。プロジェクター本体１０１の上面には、ＮＦＣモジュール１６０がＮＦＣタグと通信可能な位置の目安であるマーカー１６３が付されている。
【００２４】
表示システム１では、ＮＦＣタグ１６２及びＮＦＣタグ６２（図５）と、ＮＦＣタグに対する読み取り及び書き込みを行うＮＦＣリーダー／ライターであるＮＦＣリーダー１６１及びＮＦＣリーダー６１（図５）とを利用する。
【００２５】
ＮＦＣリーダー６１、１６１及びＮＦＣタグ６２、１６２は、例えば、ＩＳＯにより策定されたＮＦＣの規格や、Ｆｅｌｉｃａ（登録商標）等の各種のＲＦＩＤ規格に準拠したものを用いることができる。ＲＦＩＤタグは、１２５ｋＨｚ帯の無線信号を用いるタグ、１３．５６ＭＨｚ帯の無線信号を用いるタグ、ＵＨＦ帯（９５０ＭＨｚ帯）の無線信号を用いるタグ、２．４５ＧＨｚ帯の無線信号を用いるタグ等が知られている。ＮＦＣタグ６２、１６２はこれらのいずれであってもよい。また、ＮＦＣリーダー６１、１６１は、ＮＦＣタグ６２、１６２に対する読み取り及び書き込みが可能なものであればよい。表示システム１は、例えば、スマートフォン等の搭載例が豊富な１３．５６ＭＨｚ帯の無線信号を用いるＮＦＣリーダー６１、１６１及びＮＦＣタグ６２、１６２を備える構成であってもよい。
【００２６】
端末装置１０は、後述するように、ＮＦＣタグ６２（図５）を備える。ＮＦＣモジュール１６０は、端末装置１０のＮＦＣタグ６２に対しデータの読み取り及び書き込みが可能である。つまり、端末装置１０とプロジェクター１００とは、ＮＦＣを利用してデータ通信を実行できる。
【００２７】
また、端末装置１０とプロジェクター１００とは、ＮＦＣ以外の他の無線通信方式によって各種データを送受信可能に接続される。例えば、無線ＬＡＮ（Ｌｏｃａｌ  Ａｒｅａ  Ｎｅｔｗｏｒｋ）、Ｂｌｕｅｔｏｏｔｈ（登録商標）、ＵＷＢ（Ｕｌｔｒａ  Ｗｉｄｅ  Ｂａｎｄ）等の近距離無線通信方式が挙げられる。無線ＬＡＮはＷｉ−Ｆｉ（登録商標）を含む。
【００２８】
［２．プロジェクターの構成］
図２は、プロジェクター１００の構成を示すブロック図である。
プロジェクター１００は、プロジェクター１００の各部を制御する制御部１３０と、投射画像Ｐを投射する投射部１１０とを備える。制御部１３０は、プロセッサー１３１、及び、記憶部１３５等により構成される。記憶部１３５は、プロセッサー１３１が実行する制御プログラムやデータを不揮発的に記憶する記憶装置であり、フラッシュＲＯＭ等の半導体記憶素子等で構成される。記憶部１３５は、プロセッサー１３１のワークエリアを構成するＲＡＭを含んでもよい。プロセッサー１３１は、単一のプロセッサーで構成されてもよいし、複数のプロセッサーがプロセッサー１３１として機能する構成であってもよい。
【００２９】
プロセッサー１３１は、ＣＰＵ（Ｃｅｎｔｒａｌ  Ｐｒｏｃｅｓｓｉｎｇ  Ｕｎｉｔ）、マイコン、その他の演算処理装置で構成される。プロセッサー１３１は、記憶部１３５に保存された制御プログラム１３６を実行することによって、投射制御部１３２、通信制御部１３３、及び、設定制御部１３４として機能する。つまり、これらの機能ブロックは、プロセッサー１３１が、制御プログラム１３６を実行することにより、ソフトウェアとハードウェアの協働により実現される。
【００３０】
記憶部１３５は、制御プログラム１３６のほか、読取データ１３７、及び、ＵＩ（ユーザーインターフェイス）データ１３８を記憶する。読取データ１３７は、ＮＦＣリーダー１６１により外部のＮＦＣタグから読み取られたデータである。ＵＩデータ１３８は、設定制御部１３４がメニュー画面を投射させる際に参照されるデータであり、メニュー画面に配置される項目に関する情報等を含む。
【００３１】
投射部１１０（表示部、第２表示部）は、光源１１１、光変調装置１１２、及び、投射光学系１１３を備える。光源１１１は、ハロゲンランプ、キセノンランプ、超高圧水銀ランプ等のランプ、或いは、ＬＥＤやレーザー光源等の固体光源で構成される。光源１１１は、光源駆動部１２２から供給される電力により点灯し、光変調装置１１２に向けて光を発する。
【００３２】
光源駆動部１２２は、制御部１３０の制御に従って光源１１１に駆動電流やパルスを供給し、光源１１１を発光させる。
【００３３】
光変調装置１１２は、透過型液晶パネル、反射型液晶パネル、デジタルミラーデバイス（ＤＭＤ）等の図示しない光変調素子を備える。光変調装置１１２は、光変調装置駆動部１２３により駆動され、光変調素子により画像を形成し、光源１１１が発した光を変調して画像光を生成し、投射光学系１１３に向けて投射する。
【００３４】
光変調装置駆動部１２３は画像処理部１２５から入力される画像信号に従って、光変調装置１１２を駆動して、光変調素子にフレーム単位で画像を描画する。
投射光学系１１３は、レンズやミラー等の光学素子を備え、光変調装置１１２で変調された光をスクリーンＳＣ上に結像させ、投射画像Ｐを投射する。
【００３５】
また、プロジェクター１は、インターフェイス（Ｉ／Ｆ）部１２４、画像処理部１２５、フレームメモリー１２６、ＮＦＣモジュール１６０、入力処理部１７１、操作パネル１７２、リモコン受光部１７３、無線通信部１７５、及び、音声処理部１７６を備える。これらの各部は、バス１７９を介して制御部１３０とデータ通信可能に接続される。
【００３６】
インターフェイス部１２４、ＮＦＣモジュール１６０、及び、無線通信部１７５は、外部の装置と接続されるインターフェイスである。これらは本発明の通信部に相当し、別の表現では接続部ということもできる。
【００３７】
インターフェイス部１２４は、データ通信用の有線インターフェイスであり、図示しないコネクター及びインターフェイス回路等を備える。インターフェイス部１２４は、ケーブルを介して、外部の装置に接続され、制御部１３０の制御に従って、外部の装置との間でデジタル画像データや制御データ等を送受信する。インターフェイス部１２４には、ＬＡＮインターフェイスや、ＵＳＢインターフェイスを採用できる。また、インターフェイス部１２４は、画像供給装置に接続される画像インターフェイスであってもよい。この場合、例えば、インターフェイス部１２４は、ＨＤＭＩ（登録商標）、ＤＳｕｂインターフェイスで構成される。ＨＤＭＩはＨｉｇｈ  Ｄｅｆｉｎｉｔｉｏｎ  Ｍｕｌｔｉｍｅｄｉａ  Ｉｎｔｅｒｆａｃｅの略である。プロジェクター１００は、インターフェイス部１２４に接続された画像供給装置から入力される画像データに基づき、投射部１１０により画像を投射する。
【００３８】
無線通信部１７５は、図示しないアンテナやＲＦ回路等を備え、制御部１３０の制御に従って外部の装置との間で無線データ通信を実行する。無線通信部１７５は、例えば、無線ＬＡＮ、Ｂｌｕｅｔｏｏｔｈ等の無線通信を実行する。
【００３９】
光変調装置駆動部１２３には、画像処理部１２５から、光変調装置１１２に描画する画像の画像信号が入力される。光変調装置駆動部１２３は、画像処理部１２５が出力する画像信号に基づき、光変調装置１１２を駆動する。
【００４０】
画像処理部１２５は、フレームメモリー１２６に接続される。画像処理部１２５は、画像ソースとして選択された画像データに基づく画像を、フレームメモリー１２６に展開する。画像ソースは、インターフェイス部１２４や無線通信部１７５により受信した画像データ、或いは、記憶部１３５が記憶するコンテンツデータ等から選択される。
画像処理部１２５は、フレームメモリー１２６に展開した画像に対し、各種の画像処理を実行する。画像処理部１２５は、フレームメモリー１２６に展開した画像を表示するための画像信号を生成し、光変調装置駆動部１２３に出力する。
【００４１】
また、画像処理部１２５は、ＯＳＤ（Ｏｎ  Ｓｃｒｅｅｎ  Ｄｉｓｐｌａｙ）処理機能を有する。画像処理部１２５は、ＯＳＤ処理機能により、画像データに基づきフレームメモリー１２６に展開した画像に、他の画像を重畳して合成し、合成画像を光変調装置駆動部１２３に出力する。例えば、操作パネル１７２やリモコン７０の設定メニュースイッチが操作された場合に、画像処理部１２５は、プロジェクター１００の機能に関する設定を行うためのメニュー画面を、ＯＳＤ処理機能により表示する。メニュー画面は、画像データに基づきフレームメモリー１２６に展開した画像に重ねて、投射部１１０により投射される。この場合、投射画像Ｐは、画像データに基づく画像の上に、メニュー画面が重なった画像となる。
【００４２】
入力処理部１７１（入力部、第２入力部）は、操作パネル１７２、及び、リモコン受光部１７３に接続される。入力処理部１７１は、操作パネル１７２またはリモコン受光部１７３で操作を受け付けた場合に、受け付けた操作に対応する操作データを生成して制御部１３０に出力する。リモコン受光部１７３は、リモコン４７が送信する赤外線信号を受光する。入力処理部１７１は、リモコン受光部１７３が受光した信号をデコードして、操作データを生成し、制御部１３０に出力する。
【００４３】
音声処理部１７６は、制御部１３０の制御に従って、音声データを処理する。音声処理部１７６は、プロジェクター１００が備えるスピーカーや外部のスピーカーから、音声データに基づく音声を出力させる。
【００４４】
プロジェクター１００は、ＮＦＣモジュール１６０を備える。ＮＦＣモジュール１６０は、ＮＦＣタグ１６２、及び、ＮＦＣリーダー１６１を有する。
【００４５】
ＮＦＣモジュール１６０は、プロジェクター本体１０１（図１）の内部において、マーカー１６３の近傍に配置される。
ＮＦＣリーダー１６１（取得部）は、図示しないアンテナ、発信回路、受信回路等を備えるＮＦＣタグのリーダー／ライターである。ＮＦＣリーダー１６１は、マーカー１６３から所定距離以下に接近する外部のＮＦＣタグと通信を実行し、ＮＦＣタグに記録されたデータの取得、及び、ＮＦＣタグに対するデータの書き込みを行う。ＮＦＣリーダー１６１は、後述するＮＦＣタグ６２（図５）に対するデータの読み取り及び書き込みを行うことができる。
【００４６】
ＮＦＣタグ１６２は、データを不揮発的に記憶する書き換え可能な記憶領域を有する。ＮＦＣタグ１６２の記憶領域は、マーカー１６３に接近する外部のＮＦＣリーダー／ライターにより、データの読み取り、及び、データの書き込みが可能である。さらに、ＮＦＣタグ１６２の記憶領域に対しては、制御部１３０、または、ＮＦＣリーダー１６１により、データを書き込み可能である。ＮＦＣタグ１６２は、プロジェクター１００の電源回路から電源供給を受けるアクティブタグであってもよいし、ＮＦＣタグ１６２を読み取る外部の装置から電源供給を受けるパッシブタグであってもよい。
【００４７】
投射制御部１３２は、光源駆動部１２２、光変調装置駆動部１２３及び画像処理部１２５を制御して、画像ソースとして選択された画像データに基づく投射画像Ｐを、投射部１１０により投射させる。
【００４８】
通信制御部１３３は、無線通信部１７５を制御して、端末装置１０と無線通信を行う。通信制御部１３３は、端末装置１０との間で無線通信を確立し、端末装置１０が送信する制御データやコンテンツデータを受信し、受信したデータを処理する。
また、通信制御部１３３は、ＮＦＣモジュール１６０によるデータ通信を制御する。通信制御部１３３は、ＮＦＣリーダー１６１を制御して、外部のＮＦＣタグに対するデータの読み取り、及び／または書き込みを実行する。ＮＦＣリーダー１６１により読み取ったデータは、読取データ１３７として記憶部１３５に記憶させる。
【００４９】
設定制御部１３４は、リモコン７０または操作パネル１７２の設定メニュースイッチの操作に対応して、プロジェクター１００の設定を行う設定用のユーザーインターフェイスを構成し、投射部１１０により投射させる。設定用のユーザーインターフェイスは、例えば、図３を参照して後述するメニュー画面１８０である。設定制御部１３４は、ＵＩデータ１３８に従って、メニュー画面１８０のレイアウトを決定する。メニュー画面１８０のレイアウトは、メニュー画面１８０に表示する項目と各項目の表示順序とを含む。設定制御部１３４は、決定したレイアウトに従ってメニュー画面１８０を構成し、メニュー画面１８０を表示するための表示データを生成し、画像処理部１２５によってＯＳＤ処理を実行させる。これにより、ＯＳＤによりメニュー画面１８０が重畳された投射画像Ｐが投射される。設定制御部１３４は、メニュー画面１８０の投射中にリモコン７０または操作パネル１７２に対して実行される操作を、入力処理部１７１から入力される操作データに基づき検出する。設定制御部１３４は、検出した操作内容に従って、プロジェクター１００の機能に関する設定を実行する。
また、設定制御部１３４は、記憶部１３５に記憶された読取データ１３７に基づき、ＵＩデータ１３８を書き換える。
【００５０】
［３．プロジェクターのメニュー画面の構成］
図３は、プロジェクター１００のメニュー画面１８０の例を示す図である。
メニュー画面１８０は、画像処理部１２５のＯＳＤ処理機能によってスクリーンＳＣに投射される画像であり、プロジェクター１００の機能に関する設定を行うための各種の項目が含まれる。メニュー画面１８０は、記憶部１３５が記憶するＵＩデータ１３８に基づいて構成される。
【００５１】
メニュー画面１８０には、複数の設定対象項目１８１が一覧可能に配置される項目表示部１８２を有する。設定対象項目は、プロジェクター１００の機能を定める設定値が設定される項目であり、図３の例では、カラーモード、明るさ、コントラスト、シャープネス等の設定対象項目１８１が項目表示部１８２に並べて配置されている。
ユーザーの操作によって、各々の設定対象項目１８１に、設定値を指定することができる。メニュー画面１８０には、各々の設定対象項目１８１に対応付けて、設定値を選択入力する設定値入力部１８３が配置される。設定値入力部１８３は、例えばプルダウンメニューや入力ボックスで構成され、ユーザーが設定値を選択または入力することができる。例えば、設定対象項目１８１のうちカラーモードについて、ダイナミック、シネマ、ナチュラルの３つの設定値のいずれか１を選択して指定できる。メニュー画面１８０に対する操作は、操作パネル１７２の方向キーや、リモコン７０の方向キーを利用して行われる。
【００５２】
項目表示部１８２には、設定内容や設定項目の名称などによりグループ化された複数の設定対象項目１８１が配置される。プロジェクター１００の機能について設定可能な項目が多い場合、項目表示部１８２の表示を切替可能である。メニュー画面１８０には、項目表示部１８２に表示される設定対象項目１８１を選択するため、大項目選択部１８４が配置される。大項目選択部１８４には、選択可能な複数の大項目１８５が一覧可能に配置される。大項目１８５は、複数の設定対象項目１８１をまとめたグループの名称であり、ユーザーによって、大項目選択部１８４のいずれかの大項目１８５が選択されると、選択された大項目１８５に含まれる設定対象項目１８１が項目表示部１８２に表示される。これにより、大項目１８５を切り換えて、設定対象項目１８１に設定値を設定できる。
【００５３】
図４は、ＵＩデータ１３８の構成例を示す図である。ＵＩデータ１３８は、メニュー画面１８０の構成を規定するデータであり、大項目１８５を含む第１階層Ｌ１と、設定対象項目１８１を含む第２階層Ｌ２と、設定対象項目１８１に設定された設定値を含む第３階層Ｌ３とを含む階層構造で構成される。ＵＩデータ１３８の第１階層Ｌ１は大項目を含む。ＵＩデータ１３８は、各々の大項目に含まれる項目を第２階層Ｌ２に含み、さらに、各項目に対応付けられた設定値が、第３階層Ｌ３に含まれる。図４は一構成例に過ぎず、大項目や大項目に含まれる項目の数及び内容は任意である。
【００５４】
図４の例では、第１階層Ｌ１は複数の大項目Ａ１、Ａ２、Ａ３、…を含み、第２階層Ｌ２は、各々の大項目Ａ１、Ａ２、Ａ３、…に対応付けられた項目Ａ１１、Ａ１２、Ａ１３、Ａ１４…を含む。また、第３階層Ｌ３は、項目Ａ１１、Ａ１２、Ａ１３、Ａ１４…の各々に対応付けられた設定値を含む。大項目Ａ１は画質調整に関する項目を含み、具体的にはカラーモードに関する項目Ａ１１、明るさに関する項目Ａ１２、コントラストに関する項目Ａ１３、及び、シャープネスに関する項目Ａ１４等を含む。項目Ａ１１には、設定値として、「ダイナミック」を指定する設定値Ａ１１１、「シネマ」を指定する設定値Ａ１１２、「ナチュラル」を指定する設定値Ａ１１３のいずれかを選択して指定できる。このように、第３階層Ｌ３は、第２階層Ｌ２の項目に対して設定可能な設定値の候補を含む。また、項目に対し設定される設定値が、ユーザーにより入力される文字列である場合等、設定値自体がＵＩデータ１３８に含まれてもよい。
【００５５】
画像処理部１２５は、ＵＩデータ１３８に従って、大項目選択部１８４に大項目１８５を配置し、大項目選択部１８４において選択された大項目１８５に対応する設定対象項目１８１を、項目表示部１８２に表示する。最初にメニュー画面１８０を表示したときにデフォルトで選択される大項目１８５が、予め指定されていてもよい。また、画像処理部１２５は、設定対象項目１８１に対して設定されている設定値または設定値の初期値を、設定値入力部１８３に表示する。設定対象項目１８１の設定値または設定値の初期値は、ＵＩデータ１３８に含まれる。
【００５６】
このように、画像処理部１２５はＵＩデータ１３８に基づきメニュー画面１８０を表示する。換言すれば、メニュー画面１８０の表示内容は、ＵＩデータ１３８により規定される。例えば、画像処理部１２５は、大項目選択部１８４に表示される大項目１８５の数、大項目１８５の表示位置または表示順序を、ＵＩデータ１３８に従って決定する。具体的には、ＵＩデータ１３８の第１階層Ｌ１に含まれる大項目が、大項目選択部１８４に配置される。また、ＵＩデータ１３８における大項目の記述順序に従って、大項目選択部１８４に、上から順に各大項目１８５が配置される。
【００５７】
また、例えば、画像処理部１２５は、ＵＩデータ１３８において大項目に対応付けられた第２階層Ｌ２の項目を、項目表示部１８２に、設定対象項目１８１として並べて配置する。設定対象項目１８１の配置順序は、ＵＩデータ１３８における各項目の記述順序に従う。従って、ＵＩデータ１３８の内容が書き換えられた場合、画像処理部１２５は、書き換え後のＵＩデータ１３８に従ったメニュー画面１８０を、投射部１１０により投射させる。表示システム１では、プロジェクター１００と端末装置１０とが通信を実行することにより、設定制御部１３４（図２）がプロジェクター１００のＵＩデータ１３８の書き換えを行う。これにより、メニュー画面１８０の構成を編集できる。
【００５８】
［４．端末装置の構成］
図５は、端末装置１０のブロック図である。端末装置１０は、端末装置１０の各部を制御する制御部１０ａを備える。制御部１０ａは、プロセッサー２０、及び、記憶部３０等により構成される。記憶部３０は、プロセッサー２０が実行する制御プログラムやデータを不揮発的に記憶する記憶装置であり、フラッシュＲＯＭ等の半導体記憶素子等で構成される。記憶部３０は、プロセッサー２０のワークエリアを構成するＲＡＭを含んでもよい。プロセッサー２０は、単一のプロセッサーで構成されてもよいし、複数のプロセッサーがプロセッサー２０として機能する構成であってもよい。
【００５９】
制御部１０ａには、無線通信部４０、タッチパネル５１、操作検出部５５、及びＮＦＣモジュール６０が接続される。タッチパネル５１は、表示パネル５２と、タッチセンサー５３とを備える。表示パネル５２（表示部、第１表示部）は、液晶ディスプレイ、ＥＬ（Ｅｌｅｃｔｒｏ  Ｌｕｍｉｎｅｓｃｅｎｔ）ディスプレイ等により構成され、制御部１０ａの制御に従って各種情報を表示する。
【００６０】
無線通信部４０は、図示しないアンテナやＲＦ回路等を備え、制御部１０ａの制御に従って外部の装置との間で無線データ通信を実行する。無線通信部４０は、例えば、無線ＬＡＮ、Ｂｌｕｅｔｏｏｔｈ等の無線通信を実行し、例えば、プロジェクター１００が備える無線通信部１７５との間でデータ通信を実行できる。
【００６１】
操作検出部５５（入力部、第１入力部）は、タッチセンサー５３、及び、スイッチ５４に接続される。タッチセンサー５３は、表示部５１への接触操作を検出して、検出した操作位置を示す位置信号を操作検出部５５に出力する。操作検出部５５は、タッチセンサー５３から入力される位置信号に基づいて、表示部５１上の座標を示す座標情報を生成し、制御部１０ａに出力する。
【００６２】
スイッチ５４は、端末装置本体１１（図１）に設けられたスイッチ等の各操作子を備え、これらの操作子が操作された場合に操作信号を操作検出部５５に出力する。操作検出部５５は、スイッチ５４から入力された操作信号に基づいて、操作された操作子に対応する操作情報を生成して制御部１０ａに出力する。本実施形態では、タッチセンサー５３及びスイッチ５４が端末入力部に相当する。
制御部１０ａは、操作検出部５５から入力された座標情報又は操作情報に基づいて、表示部５１に対する接触操作及びスイッチを含む各操作子の操作を検出できる。
【００６３】
端末装置１０は、ＮＦＣモジュール６０を備える。ＮＦＣモジュール６０は、ＮＦＣタグ６２と、ＮＦＣリーダー６１とを備える。ＮＦＣリーダー６１は、図示しないアンテナ、発信回路、受信回路等を備えるＮＦＣタグのリーダー／ライターである。ＮＦＣリーダー６１は、アンテナから所定距離以下に接近する外部のＮＦＣタグと通信を実行し、ＮＦＣタグに記録されたデータの取得、及び、ＮＦＣタグに対するデータの書き込みを行う。ＮＦＣリーダー６１は、プロジェクター１００のＮＦＣタグ１６２に対するデータの読み取り及び書き込みを行うことができる。
【００６４】
ＮＦＣタグ６２（通信部、記憶部）は、データを不揮発的に記憶する書き換え可能な記憶領域を有する。ＮＦＣタグ６２の記憶領域は、外部のＮＦＣリーダー／ライターにより、データの読み取り、及び、データの書き込みが可能である。さらに、ＮＦＣタグ６２の記憶領域に対しては、制御部１０ａ、または、ＮＦＣリーダー６１により、データを書き込み可能である。ＮＦＣタグ６２は、プロジェクター１００の電源回路から電源供給を受けるアクティブタグであってもよいし、ＮＦＣタグ６２を読み取る外部の装置から電源供給を受けるパッシブタグであってもよい。
【００６５】
ＮＦＣリーダー６１及びＮＦＣタグ６２は、端末装置本体１１の内部に収容され、タッチパネル５１が配置された面の裏面に近接して固定される。このため、端末装置本体１１の裏面をマーカー１６３（図１）に近づけることで、ＮＦＣリーダー１６１がＮＦＣタグ６２と通信して、ＮＦＣタグ６２からのデータの読み取り、及び書き込みが可能となる。また、ＮＦＣリーダー６１が、ＮＦＣタグ１６２に対するデータの読み取り、及び書き込みを実行可能となる。
【００６６】
プロセッサー２０は、ＣＰＵ、マイコン、その他の演算処理装置で構成される。プロセッサー２０は、記憶部３０に保存された制御プログラム３１を実行することによって、表示制御部２１、通信制御部２２、設定情報処理部２３、及び、アプリケーション実行部２４として機能する。これらの機能ブロックは、プロセッサー２０が、制御プログラム３１を実行することにより、ソフトウェアとハードウェアの協働により実現される。
【００６７】
記憶部３０は、制御プログラム３１のほか、アプリケーションプログラム３２、ＵＩ設定データ３３、及び、コンテンツデータ３４を記憶する。アプリケーションプログラム３２は、プロセッサー２０によって実行されるプログラムである。記憶部３０は複数のアプリケーションプログラム３２を記憶してもよいし、１つのアプリケーションプログラム３２が複数の機能を実現するものであってもよい。本実施形態で、アプリケーションプログラム３２は、コンテンツデータ３４を再生し、端末装置１０からプロジェクター１００に対し画像データを送信する機能を有する。コンテンツデータ３４は、静止画像や動画像の画像データを含むコンテンツのデータであり、音声データを含んでもよい。
【００６８】
ＵＩ設定データ３３は、プロジェクター１００が投射するメニュー画面１８０に関するデータであり、本発明の設定情報に相当する。ＵＩ設定データ３３は、プロジェクター１００の機種を特定する機種情報に対応付けて、メニュー画面１８０に配置する設定項目と、設定項目の配置とを指定する情報を含む。ＵＩ設定データ３３の構成については後述する。
【００６９】
表示制御部２１は、表示パネル５２への画像の表示を制御し、例えば、設定情報処理部２３の処理に伴い設定用画面８０（図７）を表示パネル５２に表示させる。
通信制御部２２は、無線通信部４０を制御して、プロジェクター１００との間で無線通信を実行させる。
【００７０】
設定情報処理部２３は、編集開始のトリガーに従って、ＵＩ設定データ３３を編集するための設定用画面８０（図７）を表示パネル５２に表示させる。設定情報処理部２３は、設定用画面８０に対して実行される操作に対応して、ＵＩ設定データ３３を編集し、更新する。設定情報処理部２３は、更新されたＵＩ設定データ３３を、ＮＦＣタグ６２に記憶させる。これにより、編集後のＵＩ設定データ３３を、プロジェクター１００がＮＦＣリーダー１６１により読み取り可能となる。
【００７１】
設定情報処理部２３がＵＩ設定データ３３の編集を開始するトリガーは、操作検出部５５が検出した操作、及び、ＮＦＣタグ６２への書き込みを含む。すなわち、設定情報処理部２３は、ＮＦＣリーダー１６１によりＮＦＣタグ６２にデータが書き込まれたことを検出すると、ＮＦＣタグ６２に書き込まれたデータに基づき、ＵＩ設定データ３３を編集する処理を開始する。
【００７２】
アプリケーション実行部２４は、記憶部３０が記憶するアプリケーションプログラム３２を実行する。記憶部３０は、複数のアプリケーションプログラム３２を記憶できる。各々のアプリケーションプログラム３２には起動条件が設定されている。例えば、操作検出部５５が表示パネル５２に表示されるアイコンを選択する操作を検出した場合、アプリケーション実行部２４は、操作されたアイコンに対応づけられたアプリケーションプログラム３２を実行する。
【００７３】
［５．ＵＩ設定データ及び設定用画面の構成］
図６は、端末装置１０が記憶するＵＩ設定データ３３の構成例を示す図である。
【００７４】
ＵＩ設定データ３３は、ユーザーＩＤ３３１、機種情報３３２、動作設定情報３３３、及び、ＵＩ情報３３０を対応付けて含むデータである。ＵＩ設定データ３３は、ユーザーＩＤ３３１、機種情報３３２、動作設定情報３３３、及び、ＵＩ情報３３０の組合せを、複数含んでも良い。図６に示す例では、機種情報３３２が「ＰＪ０００１」と「ＰＪ０００２」の２組のデータがＵＩ設定データ３３に含まれる。３以上の組合せを含んでもよいことは勿論である。また、１の機種情報３３２に対応するユーザーＩＤ３３１が共通でもよいし異なっていてもよい。機種情報３３２は、種類情報に対応する。
【００７５】
ユーザーＩＤ３３１は、端末装置１０を使用するユーザーを特定する識別情報である。機種情報３３２は、プロジェクター１００の機種を特定する識別情報であり、プロジェクター１００の製造元であるベンダーを特定する情報や、ベンダーが付与したプロジェクター１００の型式番号を含んでもよい。機種情報３３２は、プロジェクター１００の種類を識別できる情報であればよく、プロジェクター１００を個体毎に識別する必要はない。
【００７６】
機種情報３３２が「ＰＪ０００１」であるデータに含まれる動作設定情報３３３は、プロジェクター１００の動作に関する設定値３３４、３３５、３３６を含む。具体的には、プロジェクター１００の起動時に選択される画像ソースを指定する起動時映像情報の設定値３３３、プロジェクター１００が出力する音量の設定値３３５、及び、警告表示の可否を指定する設定値３３６を含む。
【００７７】
機種情報３３２が「ＰＪ０００１」であるデータに含まれるＵＩ情報３３０は、プロジェクター１００のメニュー画面１８０（図３）に表示する項目を指定する項目情報３３０Ａを含む。また、メニュー画面１８０に各項目を表示する位置の順序を指定する配置情報３３０Ｂを含む。項目情報３３０Ａは、メニュー画面１８０において、項目表示部１８２に表示する設定対象項目１８１、及び／または大項目選択部１８４に表示する大項目１８５を指定する情報である。例えば、項目情報３３０Ａは、設定対象項目１８１、及び、大項目１８５の各々について、メニュー画面１８０に表示するか否かを指定する設定値を含む。配置情報３３０Ｂは、項目情報３３０Ａによりメニュー画面１８０に表示すると指定された設定対象項目１８１、及び／または大項目１８５の表示順序を指定する。例えば、配置情報３３０Ｂは、項目表示部１８２における各設定対象項目１８１の表示位置を、上から順に指定する設定値を含む。また、例えば、配置情報３３０Ｂは、大項目選択部１８４における大項目１８５の表示位置を、上から順に指定する。従って、項目情報３３０Ａ及び配置情報３３０Ｂにより、メニュー画面１８０の構成が規定される。
【００７８】
また、機種情報３３２が「ＰＪ０００２」であるデータに含まれる動作設定情報３３３は、プロジェクター１００の動作に関する設定値３３４、３３５、３３７を含む。設定値３３７は、プロジェクター１００のカラーモードを指定する設定値３である。
【００７９】
このように、ＵＩ設定データ３３は、プロジェクター１００の機種毎に、ＵＩ情報３３０を含む各種のデータを格納する。
また、設定情報処理部２３の制御により、ＵＩ設定データ３３が編集された後にＮＦＣタグ６２に書き込まれるデータは、図６に例示したＵＩ設定データ３３と全く同一のデータであってもよい。また、設定情報処理部２３は、記憶部３０が記憶するＵＩ設定データ３３の一部を、ＮＦＣタグ６２に書き込んでもよい。この場合、設定情報処理部２３は、ＵＩ設定データ３３のうち、少なくとも、機種情報３３２と、ＵＩ設定データ３３において機種情報３３２に対応付けられたＵＩ情報３３０とを含むデータをＮＦＣタグ６２に書き込む。また、機種情報３３２に対応付けられたユーザーＩＤ３３１や動作設定情報３３３を含むデータを書き込んでもよい。
【００８０】
図７は、端末装置１０のユーザーインターフェイスとして、設定用画面８０の構成例を示す図である。
設定用画面８０は、端末装置１０が備えるタッチパネル５１の全面に表示され、ユーザーが設定用画面８０に対してタッチ操作を行うことで設定値を入力できる。
【００８１】
設定用画面８０は、第１階層設定部８１、第２階層設定部８２、及び第３階層設定部８３を含む階層構造を有する。
第１階層設定部８１は、プロジェクター１００のＵＩデータ１３８の第１階層Ｌ１に対応する。第２階層設定部８２は、第２階層Ｌ２に対応し、第３階層設定部８３は第３階層Ｌ３に対応する。
【００８２】
第１階層設定部８１には、メニュー画面１８０に表示される大項目が並べて配置される。第２階層設定部８２には、第１階層設定部８１に配置された各々の大項目に含まれる項目が、並べて配置される。第３階層設定部８３には、第２階層設定部８２に配置された各項目について設定値を選択する入力ボックスが配置される。
設定用画面８０では、第１階層設定部８１に配置された各々の大項目について、メニュー画面１８０に表示するか否かを、タッチ操作により指定できる。また、第１階層設定部８１の各大項目を上下に移動させることで、メニュー画面１８０における大項目の表示順序、すなわち配置を変更できる。
【００８３】
また、設定用画面８０では、第２階層設定部８２に配置された各々の項目について、メニュー画面１８０に表示するか否かを、タッチ操作により指定できる。また、第２階層設定部８２の各項目を上下に移動させることで、メニュー画面１８０における項目の表示順序、すなわち配置を変更できる。
【００８４】
また、設定用画面８０では、第３階層設定部８３に対する操作により、第２階層設定部８２に配置された各項目の設定値として選択可能な候補の削除や追加を行える。
【００８５】
設定用画面８０に対する操作は、端末装置１０がタッチセンサー５３を備えるスマートフォンやタブレット型コンピューターである場合は、タッチ操作やスワイプ操作を利用できる。また、端末装置１０に、マウスやペンタブレット等の外付けのポインティングデバイスが接続された場合、ポインティングデバイスによるタップ操作、クリック操作、ドラッグ操作等により設定用画面８０に対する操作が行われてもよい。
【００８６】
設定情報処理部２３は、設定用画面８０に対する操作に従って、第１階層設定部８１の各大項目及び第２階層設定部８２の各項目のそれぞれについて、表示／非表示の設定を取得し、項目情報３３０Ａを編集する。また、設定情報処理部２３は、設定用画面８０に対する操作に従って、第１階層設定部８１で表示する設定がされた大項目の配置、及び、第２階層設定部８２で表示する設定がされた項目の配置を取得し、配置情報３３０Ｂを編集する。
【００８７】
プロジェクター１００に対し設定可能な項目は、プロジェクター１００が備える機能やプロジェクター１００の仕様によって異なる。例えば、プロジェクター１００が音声を出力する機能を持たない機種である場合、音量設定は不要であるから、ＵＩデータ１３８に、音量設定に関する大項目および項目は含まれない。従って、この機種に対応付けられたＵＩ設定データ３３は、項目情報３３０Ａ及び配置情報３３０Ｂが、音量設定に対応する項目に関するデータを含まない構成とする必要がある。また、例えば、プロジェクター１００が、カメラを備える機種である場合、ＵＩデータ１３８にはカメラの機能や動作条件を設定する項目が含まれる。このため、設定用画面８０は、カメラの機能や動作条件を設定する項目を、メニュー画面１８０に表示するか否か等について設定可能なユーザーインターフェイスとなっている必要がある。この設定用画面８０を用いて編集されるＵＩ設定データ３３は、カメラの機能や動作条件を設定する項目に対応するＵＩ情報３３０を含む。
このため、端末装置１０は、ＵＩ設定データ３３を編集する場合、設定対象のプロジェクター１００の機種に対応する設定用画面８０を表示する。
【００８８】
［６．表示システムの動作］
図８は、プロジェクター１００の動作を示すフローチャートであり、図９は端末装置１０の動作を示すフローチャートである。
図８及び図９には、端末装置１０を使用するユーザーが、操作パネル１７２を操作してプロジェクター１００を起動させ、端末装置１０をマーカー１６３に近づける操作を行う場合の動作を示す。
【００８９】
プロジェクター１００の制御部１３０は、操作パネル１７２又はリモコン７０の操作に応じて待機状態からプロジェクター１００の各部を起動させる（ステップＳ１１）。続いて、通信制御部１３３が、ＮＦＣリーダー１６１により、読み取り可能な範囲に存在するＮＦＣタグの検出を開始する（ステップＳ１２）。
【００９０】
通信制御部１３３は、ＮＦＣリーダー１６１の読み取り可能範囲のＮＦＣタグから、データの読み取りを行う（ステップＳ１３）。ステップＳ１３では、ＮＦＣリーダー１６１により、ユーザーがマーカー１６３に近づけたＮＦＣタグ６２からＵＩ設定データ３３を読み取る。
【００９１】
設定制御部１３４は、ＮＦＣリーダー１６１によりステップＳ１３で読み取られたＵＩ設定データ３３に、プロジェクター１００の機種に対応する機種情報３３２が含まれているか否かを判定する（ステップＳ１４）。該当する機種情報３３２が含まれている場合（ステップＳ１４；ＹＥＳ）、設定制御部１３４は、この機種情報３３２に対応付けられた設定データを取得する（ステップＳ１５）。ステップＳ１５で取得される設定データは、少なくともＵＩ情報３３０を含み、動作設定情報３３３を含んでも良い。
【００９２】
設定制御部１３４は、ステップＳ１５で取得した設定データに含まれるＵＩ情報３３０に基づき、ＵＩデータ１３８を更新する（ステップＳ１６）。これにより、設定制御部１３４は、端末装置１０のＵＩ設定データ３３に対応する構成のメニュー画面１８０を投射できる。
【００９３】
また、ＮＦＣタグ６２から読み取られたＵＩ設定データ３３に、プロジェクター１００に対応する機種情報３３２が含まれていない場合（ステップＳ１４；ＮＯ）、設定制御部１３４は、プロジェクター１００の機種情報をＮＦＣタグ６２に書き込む（ステップＳ１７）。具体的には、ステップＳ１３で読み取られたＵＩ設定データ３３に含まれる機種情報３３２のいずれも、プロジェクター１００の機種に対応していない場合である。この場合、設定制御部１３４は、ＮＦＣリーダー１６１によりＮＦＣタグ６２へのデータの書き込みを実行する。ステップＳ１７でＮＦＣタグ６２に書き込まれるデータは、本発明の要求データに相当する。このデータは、プロジェクター１００の機種情報を含む。また、プロジェクター１００に対応するＵＩ設定データ３３を要求するコマンド等を含んでもよい。
【００９４】
ユーザーが端末装置１０をマーカー１６３にかざす際に、端末装置１０は、スリープ状態やスタンバイ状態と呼ばれる待機状態であってもよい。この状態で、端末装置１０は、通信制御部２２により、ＮＦＣタグ６２への書き込みを検出可能である。
【００９５】
図９に示すように、端末装置１０は、通信制御部２２によってＮＦＣタグ６２への書き込みを検出すると（ステップＳ２１）、待機状態から起動して（ステップＳ２２）、ＮＦＣタグ６２に書き込まれた情報を検出する（ステップＳ２３）。この情報は、本実施形態では、ステップＳ１７（図８）で設定制御部１３４により書き込まれた機種情報である。
【００９６】
設定情報処理部２３は、ステップＳ２３で検出された機種情報で示される機種が、端末装置１０で表示可能な設定用画面８０に対応する機種であるか否かを判定する（ステップＳ２４）。設定用画面８０に対応する機種ではないと判定した場合（ステップＳ２４；ＮＯ）、設定情報処理部２３は、この機種に対応する設定用画面８０を表示するための情報を、無線通信部４０等により取得する（ステップＳ２５）。例えば、設定情報処理部２３は、無線通信部４０により、無線通信回線を介して、通信ネットワークに接続されたサーバー（図示略）にアクセスし、ＮＦＣタグ６２に書き込まれた機種情報に対応する設定用画面８０を構成するための情報を取得する。ここで取得される情報は、設定用画面８０の第１階層設定部８１に配置される大項目、第２階層設定部８２に配置さる項目、各項目に対応して設定可能な設定値の候補などである。設定情報処理部２３は、ステップＳ２５で取得した情報に基づき設定用画面８０を表示する（ステップＳ２６）。
また、設定用画面８０に対応する機種であると判定した場合（ステップＳ２４；ＮＯ）、設定情報処理部２３は、設定用画面８０を表示する（ステップＳ２６）。
【００９７】
設定情報処理部２３は、設定用画面８０に対する入力操作を検出し、入力内容を取得する（ステップＳ２７）。設定情報処理部２３は、取得した入力内容に基づき、記憶部３０が記憶するＵＩ設定データ３３を編集し（ステップＳ２８）、編集後のＵＩ設定データ３３をＮＦＣタグ６２に書き込む（ステップＳ２９）。さらに、設定情報処理部２３は、ＮＦＣタグ６２に書き込むデータにより、或いは、無線通信部４０により、プロジェクター１００に対し、ＵＩ設定データ３３の更新を通知する（ステップＳ３０）。
【００９８】
以上説明したように、本発明を適用した実施形態の表示システム１は、表示システム１は、端末装置１０、及び、プロジェクター１００を備える。
端末装置１０は、表示パネル５２と、入力を受け付ける操作検出部５５と、プロジェクター１００と通信する通信部としての無線通信部４０またはＮＦＣモジュール６０を備える。また、端末装置１０は、通信部により通信するプロジェクター１００の種類を特定する設定情報処理部２３を備える。設定情報処理部２３は、特定したプロジェクター１００の種類に対応して、プロジェクター１００の設定を行うユーザーインターフェイスとしての設定用画面８０を表示パネル５２に表示させる。設定情報処理部２３は、ユーザーインターフェイスに対応する入力を入力部により受け付けた場合に、受け付けた入力に基づいて、プロジェクター１００の設定に関するＵＩ設定データ３３を編集する。端末装置１０は、設定情報処理部２３により編集されたＵＩ設定データ３３を、プロジェクター１００により読取り可能に記憶するＮＦＣタグ６２を備える。
【００９９】
プロジェクター１００は、投射部１１０と、入力を受け付ける入力処理部１７１と、外部の記録媒体であるＮＦＣタグ６２から、ユーザーインターフェイスの構成を規定するＵＩ設定データ３３を取得するＮＦＣリーダー１６１を備える。プロジェクター１００は、設定対象項目が配置されたユーザーインターフェイスとしてのメニュー画面１８０を投射部１１０に表示させる設定制御部１３４を備える。設定制御部１３４は、入力処理部１７１により受け付けた入力に基づき設定対象項目に対する設定値を決定し、決定した設定値に従ってプロジェクター１００の機能を設定する。設定制御部１３４は、取得部により取得されたＵＩ設定データ３３に従ってメニュー画面１８０を構成し、投射部１１０により表示させる。
【０１００】
本発明の電子機器、及び、電子機器の制御方法を適用した端末装置１０によれば、端末装置１０がプロジェクター１００の種類に対応して、設定用画面８０を表示する。端末装置１０は、設定用画面８０を利用して、プロジェクター１００の設定に関するＵＩ設定データ３３を編集できる。これにより、プロジェクター１００の機種に対応してＵＩ設定データ３３を編集する操作を簡易化し、ユーザーの負担を軽減できる。
【０１０１】
設定情報処理部２３は、プロジェクター１００の種類を指定してＵＩ設定データ３３を要求する要求データとして、機種情報がＮＦＣタグ６２に書き込まれたことを条件として、指定されたプロジェクター１００の種類に対応する設定用画面８０を表示させる。機種情報がＮＦＣタグ６２に書き込まれることは、要求データの受信に相当する。
これにより、端末装置１０が、プロジェクター１００により書き込まれた機種情報に基づき設定用画面８０を表示するので、プロジェクター１００の種類に対応する設定用画面８０を表示させるための操作を簡易化できる。
【０１０２】
また、ＵＩ設定データ３３は、プロジェクター１００の種類を示す機種情報３３２と、プロジェクター１００の設定に関する情報としてのＵＩ情報３３０等とを対応付けて含む。これにより、ＵＩ設定データ３３において、プロジェクター１００の種類とプロジェクター１００の設定とが対応付けられるため、ＵＩ設定データ３３の管理に要する負担を軽減できる。
【０１０３】
また、ＵＩ設定データ３３は、プロジェクター１００の動作に係る設定のためにプロジェクター１００により表示されるメニュー画面１８０について、表示される設定対象項目を指定する情報、および、各々の設定対象項目の配置を指定する情報を含む。これにより、メニュー画面１８０に表示される設定対象項目および配置を、プロジェクター１００と通信する端末装置１０を利用して、簡単な操作で設定できる。
【０１０４】
また、本発明の表示装置、及び、表示装置の制御方法を適用したプロジェクター１００によれば、プロジェクター１００のユーザーインターフェイスとしてのメニュー画面１８０を、ＮＦＣタグ６２から取得されるＵＩ設定データ３３に従って構成できる。このため、ＵＩ設定データ３３をＮＦＣタグ６２に記録して提供する端末装置１０を利用して、プロジェクター１００のユーザーインターフェイスに関する設定を、容易に行うことができる。
【０１０５】
また、プロジェクター１００は、プロジェクター１００の種類に対応するＵＩ設定データ３３がＮＦＣタグ６２に記録されていない場合に、要求データを送信する。すなわち、ＮＦＣリーダー１６１により、端末装置１０に対して、プロジェクター１００の種類を指定してＵＩ設定データ３３を要求する要求データとして機種情報を書き込む。この書き込みは要求データの送信に相当する。これにより、プロジェクター１００が、プロジェクター１００の種類に対応するＵＩ設定データ３３を端末装置１０に対し要求できる。このため、プロジェクター１００の種類とＵＩ設定データ３３との対応をプロジェクター１００が管理する必要がなく、管理に関する負担を軽減できる。
【０１０６】
また、表示システム１によれば、プロジェクター１００のユーザーインターフェイスであるメニュー画面１８０を、端末装置１０がＮＦＣタグ６２に記憶するＵＩ設定データ３３に従って構成できる。このため、端末装置１０を利用して、プロジェクター１００のユーザーインターフェイスに関する設定を、容易に行うことができる。さらに、端末装置１０は、プロジェクター１００の種類に対応してユーザーインターフェイスとして設定用画面８０を表示する。端末装置１０では、設定用画面８０を利用して、プロジェクター１００の設定に関するＵＩ設定データ３３を編集できる。このため、プロジェクター１００の機種に対応してＵＩ設定データ３３を編集する操作を簡易化し、ユーザーの負担を軽減できる。
【０１０７】
［７．他の実施形態］
上記実施形態は本発明を適用した一具体例を示すものであり、本発明はこれに限定されるものではない。
例えば、上記実施形態ではＮＦＣモジュール６０を通信部として使用する例を説明した。この例では、プロジェクター１００が、要求データを送信する動作として、ＮＦＣタグ６２に機種情報を書き込む動作を実行する。また、端末装置１０は、ＮＦＣタグ６２に機種情報が書き込まれたことを、「要求データが送信された」こととみなして動作を実行する。本発明はこれに限定されず、例えば、プロジェクター１００が、無線通信部１７５によって要求データを送信してもよい。具体的には、プロジェクター１００は、ＮＦＣタグ６２から読み取ったＵＩ設定データ３３がプロジェクター１００に対応しない場合に（ステップＳ１４；ＮＯ）、無線通信部１７５により要求データを無線送信する。この場合、端末装置１０は、ステップＳ２１で、プロジェクター１００が送信する要求データを無線通信部４０によって受信すればよい。
【０１０８】
また、プロジェクター１００は、ステップＳ１７で、ＮＦＣタグ６２に、要求データとしてのコマンドを書き込んでもよい。このコマンドは、機種情報とともに、或いは機種情報に代えて、ＮＦＣタグ６２に書き込まれる。この場合、端末装置１０は、ステップＳ２４で、コマンドを解析し、要求されたプロジェクター１００の機種に、設定用画面８０が対応可能かを判定すればよい。
【０１０９】
また、プロジェクター１００及び端末装置１０がＮＦＣタグ６２を用いて通信を実行する構成において、プロジェクター１００はＮＦＣタグ１６２を備えていなくてもよい。また、プロジェクター１００がＮＦＣタグ６２を読み取る処理と並行して、端末装置１０とプロジェクター１００とが、無線通信部４０及び無線通信部１７５により無線通信を実行してもよい。
【０１１０】
また、本発明の表示装置はプロジェクター１００に限定されず、液晶表示パネルに画像を表示する液晶モニター又は液晶テレビを表示装置として採用してもよい。プラズマディスプレイパネル、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ  Ｌｕｍｉｎｅｓｃｅｎｃｅ）ディスプレイ等の有機ＥＬ表示パネルを備えた表示装置を用いてもよい。
【０１１１】
また、図２及び図５に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、或いは、ハードウェアで実現される機能の一部をソフトウェアで実現してもよい。その他、表示システム１を構成する端末装置１０及びプロジェクター１００の他の各部の具体的な細部構成についても、本発明の趣旨を逸脱しない範囲で任意に変更可能である。
【符号の説明】
【０１１２】
１…表示システム、１０…端末装置（電子機器）、１０ａ…制御部、２０…プロセッサー、２２…通信制御部、２３…設定情報処理部、２４…アプリケーション実行部、３０…記憶部、３１…制御プログラム、３２…アプリケーションプログラム、３３…ＵＩ設定データ（設定情報）、３４…コンテンツデータ、４０…無線通信部（通信部）、４７…リモコン、５１…タッチパネル、５２…表示パネル（表示部、第１表示部）、５３…タッチセンサー、５４…スイッチ、５５…操作検出部（入力部、第１入力部）、６０…ＮＦＣモジュール、６１…ＮＦＣリーダー、６２…ＮＦＣタグ（通信部、記憶部）、７０…リモコン、８０…設定用画面（ユーザーインターフェイス）、１００…プロジェクター（表示装置）、１１０…投射部（表示部、第２表示部）、１３０…制御部、１３１…プロセッサー、１３２…投射制御部、１３３…通信制御部、１３４…設定制御部、１３５…記憶部、１３６…制御プログラム、１３７…読取データ、１３８…ＵＩデータ、１７５…無線通信部、１６０…ＮＦＣモジュール、１６１…ＮＦＣリーダー（取得部）、１６２…ＮＦＣタグ、１６３…マーカー、１７１…入力処理部（入力部、第２入力部）、１８０…メニュー画面（ユーザーインターフェイス）、３３０…ＵＩ情報、３３０Ａ…項目情報、３３０Ｂ…配置情報、３３２…機種情報、Ｐ…投射画像、ＳＣ…スクリーン。
【図１】
2019158986.tif 000003
【図２】
2019158986.tif 000004
【図３】
2019158986.tif 000005
【図４】
2019158986.tif 000006
【図５】
2019158986.tif 000007
【図６】
2019158986.tif 000008
【図７】
2019158986.tif 000009
【図８】
2019158986.tif 000010
【図９】
2019158986.tif 000011